【手続補正書】
【提出日】平成26年5月9日(2014.5.9)
【手続補正１】
【補正対象書類名】明細書
【補正対象項目名】発明の名称
【補正方法】変更
【補正の内容】
【発明の名称】画像形成装置及び画像形成装置を制御する情報端末、並びにその制御方法及びプログラム
【手続補正２】
【補正対象書類名】明細書
【補正対象項目名】０００１
【補正方法】変更
【補正の内容】
【０００１】
本発明は、画像形成装置及び画像形成装置を制御する情報端末、並びにその制御方法及びプログラムに関し、より詳しくは、画像形成装置で画像を形成する用紙を供給する給紙段の紙残量値を正確に検出する技術に関する。
【手続補正３】
【補正対象書類名】明細書
【補正対象項目名】００１０
【補正方法】変更
【補正の内容】
【００１０】
本発明は、複数の給紙段にセットされた用紙の紙残量値を纏めて正確に検出することができる画像形成装置及び画像形成装置を制御する情報端末、並びにその制御方法及びプログラムを提供することを目的とする。
【手続補正４】
【補正対象書類名】明細書
【補正対象項目名】００１１
【補正方法】変更
【補正の内容】
【００１１】
本発明に係る画像形成装置は、複数の給紙段を備える画像形成装置であって、前記複数の給紙段のそれぞれの紙残量値を段階的に検出する紙残量検出手段と、前記複数の給紙段のそれぞれの残紙枚数を保持する残紙枚数保持手段であって、当該各残紙枚数には、前記紙残量検出手段によって検出された対応する給紙段の紙残量値が設定される残紙枚数保持手段と、前記複数の給紙段のうち印刷ジョブで指定されている給紙段からの給紙を検出する給紙検出手段と、前記給紙検出手段により前記指定されている給紙段からの給紙が検出されたときに、前記指定されている給紙段からの１枚の給紙毎に前記残紙枚数保持手段が保持する前記指定されている給紙段の残紙枚数から１を減算して前記指定されている給紙段の残紙枚数を補正する残紙枚数補正手段と、前記紙残量検出手段により検出された紙残量値に変化があった場合、前記残紙枚数補正手段により補正された前記指定されている給紙段の残紙枚数を、前記紙残量検出手段が検出した前記変化した後の紙残量値に変更する実紙残量補正手段と、給紙を行っている給紙段が設定されている用紙と同種且つ同サイズの用紙に設定されている別の給紙段が前記複数の給紙段にある場合に、前記実紙残量補正手段により給紙を行っている給紙段における残紙枚数が前記変化した後の紙残量値に変更されると、前記別の給紙段から給紙を行うように給紙段を変更する制御手段と、を有することを特徴とする。
【手続補正５】
【補正対象書類名】特許請求の範囲
【補正対象項目名】全文
【補正方法】変更
【補正の内容】
【特許請求の範囲】
【請求項１】
複数の給紙段を備える画像形成装置であって、
前記複数の給紙段のそれぞれの紙残量値を段階的に検出する紙残量検出手段と、
前記複数の給紙段のそれぞれの残紙枚数を保持する残紙枚数保持手段であって、当該各残紙枚数には、前記紙残量検出手段によって検出された対応する給紙段の紙残量値が設定される残紙枚数保持手段と、
前記複数の給紙段のうち印刷ジョブで指定されている給紙段からの給紙を検出する給紙検出手段と、
前記給紙検出手段により前記指定されている給紙段からの給紙が検出されたときに、前記指定されている給紙段からの１枚の給紙毎に前記残紙枚数保持手段が保持する前記指定されている給紙段の残紙枚数から１を減算して前記指定されている給紙段の残紙枚数を補正する残紙枚数補正手段と、
前記紙残量検出手段により検出された紙残量値に変化があった場合、前記残紙枚数補正手段により補正された前記指定されている給紙段の残紙枚数を、前記紙残量検出手段が検出した前記変化した後の紙残量値に変更する実紙残量補正手段と、
給紙を行っている給紙段が設定されている用紙と同種且つ同サイズの用紙に設定されている別の給紙段が前記複数の給紙段にある場合に、前記実紙残量補正手段により給紙を行っている給紙段における残紙枚数が前記変化した後の紙残量値に変更されると、前記別の給紙段から給紙を行うように給紙段を変更する制御手段と、を有することを特徴とする画像形成装置。
【請求項２】
前記印刷ジョブで設定された給紙段が設定されている用紙が順序性を持つ場合に、前記制御手段は、前記用紙の順序性を保持することが可能な枚数まで給紙を行った後に、前記別の給紙段への変更を実施することを特徴とする請求項１記載の画像形成装置。
【請求項３】
複数の給紙段を備える画像形成装置であって、
前記複数の給紙段のそれぞれの紙残量値を段階的に検出する紙残量検出手段と、
前記複数の給紙段のそれぞれの残紙枚数を保持する残紙枚数保持手段であって、当該各残紙枚数には、前記紙残量検出手段によって検出された対応する給紙段の紙残量値が設定される残紙枚数保持手段と、
前記複数の給紙段のうち印刷ジョブで指定されている給紙段からの給紙を検出する給紙検出手段と、
前記給紙検出手段により前記指定されている給紙段からの給紙が検出されたときに、前記指定されている給紙段からの１枚の給紙毎に前記残紙枚数保持手段が保持する前記指定されている給紙段の残紙枚数から１を減算して前記指定されている給紙段の残紙枚数を補正する残紙枚数補正手段と、
前記紙残量検出手段により検出された紙残量値に変化があった場合、前記残紙枚数補正手段により補正された前記指定されている給紙段の残紙枚数を、前記紙残量検出手段が検出した前記変化した後の紙残量値に変更する実紙残量補正手段と、
給紙を行っている給紙段と同じグループにグループ化されている別の給紙段が前記複数の給紙段にある場合に、前記実紙残量補正手段により給紙を行っている給紙段における残紙枚数が前記変化した後の紙残量値に変更されると、前記別の給紙段から給紙を行うように給紙段を変更する制御手段と、を有することを特徴とする画像形成装置。
【請求項４】
前記印刷ジョブで設定された給紙段が設定されている用紙が順序性を持つ場合に、前記制御手段は、前記用紙の順序性を保持することが可能な枚数まで給紙を行った後に、前記別の給紙段への変更を実施することを特徴とする請求項３記載の画像形成装置。
【請求項５】
複数の給紙段、及び前記複数の給紙段のそれぞれの紙残量値を段階的に検出する紙残量検出手段を有する画像形成装置と通信可能な情報端末であって、
前記紙残量検出手段が検出する紙残量値を取得する第１の紙残量取得手段と、
前記紙残量検出手段が検出する紙残量値のいずれかが変化した場合に変化した後の紙残量値を取得する第２の紙残量取得手段と、
前記複数の給紙段のうち前記印刷ジョブで指定されている給紙段から１枚の給紙が行われたことを示す給紙イベント又は排紙イベントの通知を前記画像形成装置から受信する受信手段と、
前記受信手段が前記通知を受信したときに、前記通知を受信する毎に前記第１の紙残量取得手段が取得した前記指定されている給紙段の紙残量値から１を減算して前記指定されている給紙段の残紙枚数を補正する残紙枚数補正手段と、
前記指定されている給紙段の対応する前記紙残量検出手段により検出された紙残量値の変化があった場合、前記残紙枚数補正手段により補正された紙残量枚数を、前記第２の紙残量取得手段が取得した前記変化した後の紙残量値に変更する実紙残量補正手段と、
給紙を行っている給紙段が設定されている用紙と同種且つ同サイズの用紙が設定されている別の給紙段が前記複数の給紙段にある場合に、前記実紙残量補正手段により給紙を行っている給紙段における残紙枚数が前記第２の紙残量取得手段が取得した前記変化した後の紙残量値に変更されると、前記別の給紙段から給紙を行うように給紙段を変更する制御手段と、を有することを特徴とする情報端末。
【請求項６】
前記印刷ジョブで設定されている給紙段が設定されている用紙が順序性を持つ場合に、前記制御手段は、前記用紙の順序性を保持することが可能な枚数まで給紙を行った後に、前記別の給紙段への変更を実施することを特徴とする請求項５記載の情報端末。
【請求項７】
複数の給紙段、及び前記複数の給紙段のそれぞれの紙残量値を段階的に検出する紙残量検出手段を有する画像形成装置と通信可能な情報端末であって、
前記紙残量検出手段が検出する紙残量値を取得する第１の紙残量取得手段と、
前記紙残量検出手段が検出する紙残量値のいずれかが変化した場合に変化した後の紙残量値を取得する第２の紙残量取得手段と、
前記複数の給紙段のうち前記印刷ジョブで指定されている給紙段から１枚の給紙が行われたことを示す給紙イベント又は排紙イベントの通知を前記画像形成装置から受信する受信手段と、
前記受信手段が前記通知を受信したときに、前記通知を受信する毎に、前記第１の紙残量取得手段が取得した前記指定されている給紙段の紙残量値から１を減算して前記指定されている給紙段の残紙枚数を補正する残紙枚数補正手段と、
前記指定されている給紙段の対応する前記紙残量検出手段により検出された紙残量値の変化があった場合、前記残紙枚数補正手段により補正された紙残量値を、前記第２の紙残量取得手段が取得した前記変化した後の紙残量値に変更する実紙残量補正手段と、
給紙を行っている給紙段と同じグループにグループ化されている別の給紙段が前記複数の給紙段にある場合に、前記実紙残量補正手段により給紙を行っている給紙段における残紙枚数が前記変化した後の紙残量値に変更されると、前記別の給紙段から給紙を行うように給紙段を変更する制御手段と、を有することを特徴とする情報端末。
【請求項８】
前記印刷ジョブで設定されている給紙段が設定されている用紙が順序性を持つ場合に、前記制御手段は、前記用紙の順序性を保持することが可能な枚数まで給紙を行った後に、前記別の給紙段への変更を実施することを特徴とする請求項７記載の情報端末。
【請求項９】
複数の給紙段を備える画像形成装置の制御方法であって、
前記複数の給紙段のそれぞれの紙残量値を段階的に検出する紙残量検出ステップと、
前記複数の給紙段のそれぞれの残紙枚数を保持する残紙枚数保持ステップであって、当該各残紙枚数には、前記紙残量検出ステップにおいて検出された対応する給紙段の紙残量値が設定される残紙枚数保持ステップと、
前記複数の給紙段のうち印刷ジョブで指定されている給紙段からの給紙を検出する給紙検出ステップと、
前記給紙検出ステップで前記指定されている給紙段からの給紙が検出されたときに、前記指定されている給紙段からの１枚の給紙毎に前記残紙枚数保持ステップで保持した前記指定されている給紙段の残紙枚数から１を減算して前記指定されている給紙段の残紙枚数を補正する残紙枚数補正ステップと、
前記紙残量検出ステップで検出された紙残量値に変化があった場合、前記残紙枚数補正ステップで補正された前記指定されている給紙段の残紙枚数を、前記紙残量検出ステップで検出した前記変化した後の紙残量値に変更する実紙残量補正ステップと、
給紙を行っている給紙段が設定されている用紙と同種且つ同サイズの用紙に設定されている別の給紙段が前記複数の給紙段にある場合に、前記実紙残量補正ステップで給紙を行っている給紙段における残紙枚数が前記変化した後の紙残量値に変更されると、前記別の給紙段から給紙を行うように給紙段を変更する制御ステップと、を有することを特徴とする制御方法。
【請求項１０】
複数の給紙段を備える画像形成装置の制御方法であって、
前記複数の給紙段のそれぞれの紙残量値を段階的に検出する紙残量検出ステップと、
前記複数の給紙段のそれぞれの残紙枚数を保持する残紙枚数保持ステップであって、当該各残紙枚数には、前記紙残量検出ステップで検出された対応する給紙段の紙残量値が設定される残紙枚数保持ステップと、
前記複数の給紙段のうち印刷ジョブで指定されている給紙段からの給紙を検出する給紙検出ステップと、
前記給紙検出ステップで前記指定されている給紙段からの給紙が検出されたときに、前記指定されている給紙段からの１枚の給紙毎に前記残紙枚数保持ステップで保持した前記指定されている給紙段の残紙枚数から１を減算して前記指定されている給紙段の残紙枚数を補正する残紙枚数補正ステップと、
前記紙残量検出ステップで検出された紙残量値に変化があった場合、前記残紙枚数補正ステップで補正された前記指定されている給紙段の残紙枚数を、前記紙残量検出ステップで検出した前記変化した後の紙残量値に変更する実紙残量補正ステップと、
給紙を行っている給紙段と同じグループにグループ化されている別の給紙段が前記複数の給紙段にある場合に、前記実紙残量補正ステップで給紙を行っている給紙段における残紙枚数が前記変化した後の紙残量値に変更されると、前記別の給紙段から給紙を行うように給紙段を変更する制御ステップと、を有することを特徴とする制御方法。
【請求項１１】
複数の給紙段、及び前記複数の給紙段のそれぞれの紙残量値を段階的に検出する紙残量検出手段を有する画像形成装置と通信可能な情報端末の制御方法であって、
前記紙残量検出手段が検出する紙残量値を取得する第１の紙残量取得ステップと、
前記紙残量検出手段が検出する紙残量値のいずれかが変化した場合に変化した後の紙残量値を取得する第２の紙残量取得ステップと、
前記複数の給紙段のうち前記印刷ジョブで指定されている給紙段から１枚の給紙が行われたことを示す給紙イベント又は排紙イベントの通知を前記画像形成装置から受信する受信ステップと、
前記受信ステップで前記通知を受信したときに、前記通知を受信する毎に前記第１の紙残量取得ステップで取得した前記指定されている給紙段の紙残量値から１を減算して前記指定されている給紙段の残紙枚数を補正する残紙枚数補正ステップと、
前記指定されている給紙段の対応する前記紙残量検出手段により検出された紙残量値の変化があった場合、前記残紙枚数補正ステップで補正された紙残量枚数を、前記第２の紙残量取得ステップで取得した前記変化した後の紙残量値に変更する実紙残量補正ステップと、
給紙を行っている給紙段が設定されている用紙と同種且つ同サイズの用紙が設定されている別の給紙段が前記複数の給紙段にある場合に、前記実紙残量補正ステップで給紙を行っている給紙段における残紙枚数が前記第２の紙残量取得ステップで取得した前記変化した後の紙残量値に変更されると、前記別の給紙段から給紙を行うように給紙段を変更する制御ステップと、を有することを特徴とする制御方法。
【請求項１２】
複数の給紙段、及び前記複数の給紙段のそれぞれの紙残量値を段階的に検出する紙残量検出手段を有する画像形成装置と通信可能な情報端末の制御方法であって、
前記紙残量検出手段が検出する紙残量値を取得する第１の紙残量取得ステップと、
前記紙残量検出手段が検出する紙残量値のいずれかが変化した場合に変化した後の紙残量値を取得する第２の紙残量取得ステップと、
前記複数の給紙段のうち前記印刷ジョブで指定されている給紙段から１枚の給紙が行われたことを示す給紙イベント又は排紙イベントの通知を前記画像形成装置から受信する受信ステップと、
前記受信ステップで前記通知を受信したときに、前記通知を受信する毎に、前記第１の紙残量取得ステップで取得した前記指定されている給紙段の紙残量値から１を減算して前記指定されている給紙段の残紙枚数を補正する残紙枚数補正ステップと、
前記指定されている給紙段の対応する前記紙残量検出手段により検出された紙残量値の変化があった場合、前記残紙枚数補正ステップで補正された紙残量値を、前記第２の紙残量取得ステップで取得した前記変化した後の紙残量値に変更する実紙残量補正ステップと、
給紙を行っている給紙段と同じグループにグループ化されている別の給紙段が前記複数の給紙段にある場合に、前記実紙残量補正ステップにより給紙を行っている給紙段における残紙枚数が前記変化した後の紙残量値に変更されると、前記別の給紙段から給紙を行うように給紙段を変更する制御ステップと、を有することを特徴とする制御方法。
【請求項１３】
請求項９乃至１２のいずれか１項に記載の制御方法をコンピュータに実行させるためのプログラム。